(57)【要約】  複数の溝を含むアンテナブロックが設けられている無線センサー設備システム及び方法が開示されており、そのような溝は、アンテナブロックの一部分に配置されている複数のアンテナを維持している。上部ロケーターブロックは、アンテナブロックの上に配置され、上部ロケーターは、パッチを受け入れて配置するための凹部を有する上面を備えており、パッチは、センサーを試験するためにアンテナから無線信号を受信することができ、パッチは、パッチにモールド成形されたＳＡＷセンサーとＲＦＩＤタグを備えている。更に、アンテナカバーは、複数のアンテナとその配線を保護するために、アンテナブロックに接続されている。ＢＮＣコネクタは、アンテナブロックから突き出ており、複数のアンテナにその配線を介して電気的に接続されている。【選択図】          図２
2007530942.tif 000002
【特許請求の範囲】
【請求項１】
無線設備システムにおいて、
複数の溝を備えているアンテナブロックであって、前記複数の溝は、前記アンテナブロックの少なくとも一部分に配置されている複数のアンテナを維持する、アンテナブロックと、
前記アンテナブロックの上に配置されている上部ロケーターブロックであって、前記上部ロケーターは、パッチを受け入れて配置するための凹部を有する上面を備えており、センサーを試験するために、前記複数のアンテナから無線信号を受信することができる、上部ロケーターブロックと、を備えている無線設備システム。
【請求項２】
前記複数のアンテナとその配線を保護するために、前記アンテナブロックに接続されているアンテナカバーと、
前記アンテナブロックから突き出ており、前記複数のアンテナに前記その配線を介して電気的に接続されているＢＮＣコネクタと、を更に備えている、請求項１に記載のシステム。
【請求項３】
前記パッチは、前記パッチにモールド成形されているＳＡＷセンサーとＲＦＩＤタグを備えている、請求項１に記載のシステム。
【請求項４】
前記パッチはゴム材料を含んでいる、請求項３に記載のシステム。
【請求項５】
前記アンテナブロックは、ＲＦ信号の影響を受けない材料を含んでいる、請求項３に記載のシステム。
【請求項６】
前記アンテナカバーは、ＲＦ信号の影響を受けない材料を含んでいる、請求項３に記載のシステム。
【請求項７】
前記上部ロケーターブロックは、アモルファス熱可塑性ポリエーテルイミド材料で形成されている、請求項１に記載のシステム。
【請求項８】
前記複数の溝は、２つの溝を備えている、請求項１に記載のシステム。
【請求項９】
前記複数のアンテナは、２つのアンテナを備えている、請求項８に記載のシステム。
【請求項１０】
前記アンテナブロック、前記アンテナカバー、及び前記上部ロケーターブロックは、それぞれ長方形を含んでいる、請求項１に記載のシステム。
【請求項１１】
無線設備システムにおいて、
複数の溝を備えているアンテナブロックであって、前記複数の溝は、前記アンテナブロックの少なくとも一部分に配置されている複数のアンテナを維持する、アンテナブロックと、
前記アンテナブロックの上に配置されている上部ロケーターブロックであって、前記上部ロケーターは、パッチを受け入れて配置するための凹部を有する上面を備えており、前記パッチは、センサーを試験するために、前記複数のアンテナから無線信号を受信することができ、前記パッチは、前記パッチにモールド成形されているＳＡＷセンサーとＲＦＩＤタグを備えている、上部ロケーターブロックと、
前記複数のアンテナとその配線を保護するために、前記アンテナブロックに接続されているアンテナカバーと、
前記アンテナブロックから突き出ており、前記複数のアンテナに前記その配線を介して電気的に接続されているＢＮＣコネクタと、を備えている無線設備システム。
【請求項１２】
前記パッチはゴム材料を含んでおり、
前記アンテナブロックは、ＲＦ信号の影響を受けない材料を含んでおり、
前記アンテナカバーは、ＲＦ信号の影響を受けない材料を含んでおり、
前記上部ロケーターブロックは、アモルファス熱可塑性ポリエーテルイミド材料で形成されている、請求項１１に記載のシステム。
【請求項１３】
無線センサー設備の方法において、
複数の溝を備えているアンテナブロックを提供する段階であって、前記複数の溝は、前記アンテナブロックの少なくとも一部分に配置されている複数のアンテナを維持する、アンテナブロックを提供する段階と
前記アンテナブロックの上に上部ロケーターブロックを配置する段階であって、前記上部ロケーターは、パッチを受け入れて配置するための凹部を有する上面を備えており、前記パッチは、センサーを試験するために、前記複数のアンテナから無線信号を受信することができる、上部ロケーターブロックを配置する段階と、から成る方法。
【請求項１４】
前記複数のアンテナとその配線を保護するために、アンテナカバーを前記アンテナブロックに接続する段階と、
前記アンテナブロックから突き出たＢＮＣコネクタを提供する段階と、
前記ＢＮＣコネクタを、前記その配線を介して電気的に接続する段階と、を更に含んでいる、請求項１３に記載の方法。
【請求項１５】
前記パッチにモールド成形されたＳＡＷセンサーとＲＦＩＤタグを備えるように、前記パッチを構成する段階を更に含んでいる、請求項１３に記載の方法。
【請求項１６】
前記パッチはゴム材料を含んでいる、請求項１５に記載の方法。
【請求項１７】
前記アンテナブロックを、ＲＦ信号の影響を受けない材料を含むように構成する段階を更に含んでいる、請求項１５に記載の方法。
【請求項１８】
前記アンテナカバーを、ＲＦ信号の影響を受けない材料を含むように構成する段階を更に含んでいる、請求項１５に記載の方法。
【請求項１９】
前記上部ロケーターブロックを、アモルファス熱可塑性ポリエーテルイミド材料で構成する段階を更に含んでいる、請求項１３に記載の方法。
【請求項２０】
前記複数の溝を、唯２つの溝を含むように構成する段階と、
前記複数のアンテナを、前記２つの溝にそれぞれ関係付けられた唯２つのアンテナを含むように構成する段階と、
前記アンテナブロック、前記アンテナカバー、及び前記上部ロケーターブロックを、それぞれが長方形を含むように構成する段階と、を更に含んでいる、請求項１３に記載の方法。
【発明の詳細な説明】
【技術分野】
【０００１】
実施形態は、概括的には、感知方法及びシステムに関する。また、実施形態は、圧力及び温度センサーに関する。実施形態は、更に、表面音響波（ＳＡＷ）装置及びセンサーに関しており、特に、その試験方法及びシステムに関する。実施形態は、更に、無線周波数識別（ＲＦＩＤ）タグに関する。
【背景技術】
【０００２】
圧力及び温度感知技術分野では、様々なセンサーが知られている。圧力及び／又は温度を検知する能力は、一定の温度下にある装置、及び温度条件に大いに影響を受ける装置の何れにとっても有用である。そのような装置の代表的な例が自動車のタイヤであり、これは、勿論、温度と圧力両方の変化に曝される。タイヤの圧力及び／又は温度を感知し、車両の中心位置にいる運転者にこの情報を送って、タイヤの空気圧が高いか又は低いことを運転者に知らせるための、多くの異なる技法が提案されている。
【０００３】
そのようなセンサーは、一般的に、車両が動いているとき、即ち車輪が車両の車体に対して回転しているときに、感知された圧力及び／又は温度が運転者に表示されるように、車両と交信する。そのような装置は、一般的に、比較的複雑で価格が高いか、或いは、特に頑強ではない。
【０００４】
タイヤの圧力及び／又は温度センサーシステムの中には、車体に固定されたセンサーを組み込んで、回転している車輪と車台の間に、回転する電気接点を不要にしているものもある。このシステムでは、タイヤの圧力が低いときにタイヤの側壁が変形するのを利用して、センサー軸が、このタイヤの側壁と接触して撓むようになっている。このシステムは、低いタイヤ圧力を表示するが、頑強ではない。例えば、車輪に泥や塵屑が付着すると、間違った読み取りの原因となることもある。更に、このシステムが表示を行うのは、必ず相当にタイヤが膨らむほど、タイヤ圧が大幅に下がったときだけである。このようなシステムが、実際のタイヤ圧力の読み値を提供できないのは明白である。
【０００５】
別の形態の固定式センサーでは、車両の高さを検出して、高さが低くなると、タイヤ圧力が低いと見なす。しかしながら、タイヤが轍に入ったり、でこぼこの地面上に駐車されていれば、誤った低圧の読み値を生成することになり易い。
【０００６】
より複雑なシステムは、タイヤ圧力を監視することができる。例えば、或る種の圧力センサーシステムは、円周状に規則的に交互に分布する極性の異なる磁石区画から成る多極リングで形成された回転式エンコーダーを使用している。リング及び固定ピックアップと同軸の送信器コイル（誘導コイルシステム）に交流電流を流して、多極リングによって作り出される磁界に重ね合わせられる磁界を生成し、ピックアップされる信号を生成し、車輪の回転特性、従ってタイヤの状態に関係する信号を送る。
【０００７】
或る種のタイヤ圧力システムは、各車輪上の各センサーに、タイヤ圧力などに関する情報を車輪から車体の無線受信器に送る無線送信器を設け、この送信された信号をデコードしてタイヤ圧力などに関する情報を提供し、運転者がそれを利用できるようにする車輪システムを、更に使用している。しかしながら、従来の無線システムは、耐久性が無く、設計及び作成のに費用が掛かる。
【０００８】
車両のタイヤの様な圧力及び温度感知用途に広く使用されている１つの型式のセンサーは、表面音響波（ＳＡＷ）センサーであり、基板上の感知要素と、カバーの一部である圧力変換器センサーダイアフラムとで構成されている。ＳＡＷセンサーを適切に機能させるには、センサーダイアフラムは、一般的に、全ての圧力レベル及び温度で、感知要素と密接に接触して配置されていなければならない。
【０００９】
パッケージ内の膨張を補償するため、感知要素とセンサーダイアフラムは、アッセンブリするときに予荷重を掛けて出力周波数を既知の量だけずらし、常時接触を保証できるようにしなければならない。従来のセンサー設計では、カバーと基板の間の締まり嵌めによって、カバーと基板が溶接、はんだ付け又は他の接続手段によって所定の位置に係止されるまで、予荷重を維持している。
【００１０】
ＳＡＷセンサーの様なセンサーを適切に構成するためには、感知装置は、様々な温度及び圧力条件の下で装置が正しく作用することを保証するため、厳格な試験を課さなければならない。システムは、センサーが最終的に直面する種類と同様の環境において全ての機能を試験するように作り上げねばならない。例えば、ＳＡＷセンサーは、タイヤの温度と圧力状態を感知する際に使用するのに理想的に適している。感知装置は、高温と低温（例えば、１００℃から−４０℃）に反応できなければならず、同時に様々な圧力の範囲（例えば、０ｐｓｉから１５０ｐｓｉ）に反応できなければならない。従って、センサーを試験して、温度及び圧力の変化に亘る機能を確認し、センサーの外部構成要素（例えば、センサーハウジング）がこれらの様々な条件に耐えられると保証する必要がある。
【００１１】
また、試験は、ハウジングの様なセンサー装置の構成要素が、アンテナの様な無線構成要素の存在に起因するＲＦ周波数の影響を受けないことを保証するために、実施される。センサーのハウジングと基板は、電気的短絡がハウジングから基板まで走り、センサー測定値に周波数偏移又はエラーを引き起こすような状態に配置してはならない。従って、ＳＡＷセンサーの様なセンサー装置を適切に試験するための改良された方法及びシステムが必要とされている。適切なパッチシステム、具体的には無線能力を備えているシステムを構成すれば、センサー試験が大幅に向上して、現在実現されているセンサーよりも相当に能率的で頑丈なセンサーを提供することができる。  
【発明の開示】
【課題を解決するための手段】
【００１２】
以下の本発明の概要は、本発明に固有の新しい特徴の幾つかを容易に理解頂くために提供しており、全てを説明するよう目論んでいるわけではない。本発明の様々な態様は、明細書、請求項、図面及び要約書全体を一つのものとして捉えることによって、完全に理解頂けるであろう。
【００１３】
従って、本発明の１つの態様は、改良されたセンサー試験方法とシステムを提供することである。
【００１４】
本発明の別の態様は、表面音響波（ＳＡＷ）センサー及び装置の効果を試験するのに使用できるセンサー試験方法及びシステムを提供することである。
【００１５】
本発明の更に別の態様は、ＳＡＷセンサーとＲＦＩＤタグの両方が組み込まれている無線パッチを提供することである。
【００１６】
本発明の更に別の態様は、受信周波数信号を送り、ＳＡＷセンサーとＲＦＩＤ構成要素の両方を組み込んでいる無線パッチの機能を確認する試験設備を提供することである。
【００１７】
本発明の上に述べた態様、及びこの他の目的と利点は、ここに記載しているように実現することができる。複数の溝を含んでいるアンテナブロックが設けられた無線設備システムと方法が開示されており、その様な溝は、アンテナブロックの或る部分に配置されている複数のアンテナを維持する。上部ロケーターブロックは、アンテナブロックの上方に配置することができ、上部ロケーターは、パッチを受け入れて配置するための凹部を有する上面を備えており、パッチは、そのセンサー試験用の無線信号をアンテナから受信することができ、更に、パッチは、ＳＡＷセンサーと、パッチにモールド成形されているＲＦＩＤタグを備えている。更に、アンテナカバーは、複数のアンテナと配線を保護するためにアンテナブロックに接続することができる。ＢＮＣコネクタは、アンテナブロックから突き出ており、その配線を通して複数のアンテナに電気的に接続されている。
【００１８】
パッチ自体は、ゴム材料で形成することができる。アンテナブロックは、ＲＦ信号の影響を受けない材料で構成されるのが望ましい。同様に、アンテナカバーは、ＲＦ信号の影響を受けない材料を備えているのが望ましい。上部ロケーターブロックは、アモルファス熱可塑性ポリエーテルイミド材料で形成することができる。その様なシステムは、ＳＡＷとＲＦＩＤセンサー（即ちＳＡＷパッチ）が正しく機能しており、信号パックを試験設備に送れることを確認するために、周波数信号を、一定の距離及び方位でパッチ（即ちＳＡＷパッチ）へ送ることのできる、組み合わせ式のＳＡＷ及びＲＦＩＤ呼掛器基準設備として実施することができる。  
【発明を実施するための最良の形態】
【００１９】
添付図面では、各図を通して、同じ参照番号は、同じ又は機能的に同様の要素を示しており、また、添付図面は、明細書に組み込まれてその一部を形成し、更に本発明を示しており、本発明の詳細な説明と一体になって、本発明の原理を説明する働きをしている。
【００２０】
ここに示す実施例は、本発明に制限を加えるものではなく、これら実施例において論じている具体的な値及び構成は、変更することもでき、本発明の少なくとも１つの実施形態を説明するために記載しているに過ぎず、本発明の範囲を制限する意図はない。
【００２１】
図１は、本発明の或る実施形態に従って実施することのできる無線センサー試験システム１００の上面図を示している。図２は、本発明の或る実施形態による、図１の無線センサー試験システム１００の側面斜視図である。図３は、本発明の或る実施形態による、図１−２の無線センサー試験システム１００の正面図である。図４は、本発明の或る実施形態による、図１−３の無線センサー試験システム１００の右側面図である。
【００２２】
システム１００は、概括的には、圧力レール１２２を含んでおり、その上に、複数のアンテナブロック１０２、１０４、１０６、１０８、１１０が配置されている。圧力レール１２２は、圧力入口１２４を含んでいる。５つの個々の凹部が、例えばＳＡＷパッチ１３６の様なＳＡＷパッチを配置して方向付けるために、圧力レール１２２の上面に切り込まれている。ＳＡＷパッチ１３６は、ゴムのような材料で形成できることに注目して頂きたい。圧力レール１２２の上面に切り込まれた１つの凹部の例が、図２に示すパッチ凹部１３４である。圧力入口１２４は、圧力チャネルの一部を形成し、圧力チャネルは、各ＳＡＷパッチ（例えば、ＳＡＷパッチ１３６）にモールド成形されているＳＡＷボタン面を加圧できるように、圧力レール１２２の中心を通して穿孔されている。アンテナブロック１０２、１０４、１０６、１０８、１１０が上に載っている５つの場所には、それぞれ、シリコンＯリングを所定の位置に保持し、同時にＯリングを保持するのを支援するあり溝が、シーリング面にミーリング加工されて設けられている。その様なあり溝は、例えば図２に示すＯリング溝１３２である。
【００２３】
各Ｏリングは、４つのキャップスクリューによって所定の位置に保持されている各アンテナブロックに対してシールする役目を果たす。例えば、アンテナブロック１１０は、キャップスクリュー１２４、１２６、１２８、１３０で所定の位置に保持される。各アンテナブロック１０２、１０４、１０６、１０８、１１０は、各アンテナ溝１４０、１４２、１４４、１４６、１４８内に取り付けられた２つのアンテナを含むよう構成されており、各アンテナは、例えばシリコン接着剤の様な接着剤で所定の位置に保持されている。２つのアンテナは、それぞれ、各アンテナブロックの上から突き出ている各ＢＮＣコネクタに配線接続されている。例えば、アンテナブロック１１０には、ＢＮＣコネクタ１２０が取り付けられている。
【００２４】
アンテナブロック１０２、１０４、１０６、１０８、１１０には、それぞれＢＮＣコネクタ１１２、１１４、１１６、１１８、１２０が取り付けられている。ここで使用している「ＢＮＣコネクタ」という用語は、広く、同軸ケーブルと共に使用されるコネクタ型式を指す。基本的なＢＮＣコネクタは、ケーブルの各端部に取り付けられた雄型である。このコネクタは、中心ケーブル導体に接続されている中心ピンと、外側ケーブルシールドに接続されている金属管を有している。管の外側の回転リングは、ケーブルを、何れかの雌型コネクタに係止する。
【００２５】
図５は、本発明の或る実施形態による、ＳＡＷ試験のためのシステム５００のブロック図である。図１−５では、同様又は同一部品又は要素は、概ね、同じ参照番号によって示されている。従って、システム５００では、各ＢＮＣコネクタ１１２、１１４、１１６、１１８、１２０は、温度及び圧力状態を監視して調整する試験システム５０２に接続されている。概括的には、システム５００は、１５０ｐｓｉまで加圧できるほぼ５つのゴムパッチを含んでおり、ほぼ摂氏１３５度まで加熱できるＳＡＷタイヤ圧力管理パッチ無線試験レールとして使用できるように作られ、一方、埋め込み式アンテナは、ＳＡＷパッチ１３６の様なＳＡＷパッチに呼掛信号を送る。システム５００は、最終試験データを集めることができるようにするために、一定の距離で呼掛信号を送られている間は、ＳＡＷパッチが温度及び圧力の両方に反応できるようにする。
【００２６】
図６は、本発明の或る実施形態による、図１−３に示されている試験システム１００によって試験することのできるセンサー６００の上面と側面の図である。センサー６００は、概括的には、ＳＡＷボタンセンサー又は官能器アッセンブリを備えている。センサー６００は、基部６２０、６１２、６２４から成るセンサー基板を含んでいる。２つのピン６０８と６１０は、センサー基板に取り付けられ、及び／又は接続されている。この様なピン６０８と６１０は、センサー基板の領域６３０と６３２内に配置されている。センサー６００は、概括的には、窪み６０２を含むように構成されているセンサーカバー６０６を含んでいる。窪み６０２の具体的な形状及び寸法は、具体的な用途によって変わる。図６に示す窪み６０２は、分かり易くするために呈示しているのであって、その寸法及び形状が、本発明の特徴を限定するものではない。
【００２７】
センサー要素６２８は、センサーカバー６０６と、基部６２０、６１２、６２４で構成されているセンサー基板との間に空隙を形成できるやり方で、基部６１２に隣接して、又は基部６１２上に配置される。センサーダイアフラム６０３は、センサーカバー６０６に組み込んでもよい。カバー６０６は、全圧力レベルと温度で、窪み６０２がセンサー要素６２８と密接に接触するように、センサー基板の境界を定める。
【００２８】
図６から分かるように、カバーと基板の間に締まり嵌めを使用するのではなく、その構成要素を、カバーと基板の間に空隙又は間隙が形成されるように設計してもよい。その様な設計は、予荷重を維持するために、２つの部品の間の干渉に頼るのではなく、カバーを基板に組み込むときに、構成要素を所定の位置に係止する溶接、はんだ付け又は他の接続手段を使用する。
【００２９】
各構成要素は、カバーの内側寸法が許容範囲内の最小値で、基板の外側寸法が許容範囲内の最大値であっても、両者を組み合わせたときに、その間に間隙があるように設計される。従って、カバーが許容範囲内の最小寸法で、基板が許容範囲内の最大寸法であっても、間隙は、一般的にカバーと基板の間に存在する。そのような構造にする目的は、部品を呼び寸法で作成するためである。
【００３０】
センサー６００は、無線周波数識別（ＲＦＩＤ）タグと共に使用するように変更することもできる。センサー６００とＲＦＩＤタグは、例えば図２に示すパッチ１３６及び／又はパッチ７２０の様なゴムパッチにモールド成形することができ、これについては、図７−１１を参照しながら詳細に説明する。センサー６００は、従って、読み取り器と複数のトランスポンダーの間の近接ベース通信を可能にする組み合わせ式ＳＡＷ及びＲＦＩＤセンサーとして機能する。そのような読み取り器は、絶えず無線メッセージを送ることができる。読み取り器がトランスポンダーに対して十分に接近しているとき、トランスポンダーは、目覚めて、記憶されているデータを読み取り器に送る。
【００３１】
ここで本発明に関して使用している、「ＲＦＩＤタグ」「ＲＦタグ」「タグ」などは、広く、電子装置に連結されている１巻又は２巻以上のループアンテナを含む装置を指し、電子装置は、ループアンテナを介して信号の受信と送信の両方を行う。無線機器に対する受信信号には、電子装置を制御し及び／又は作動させ、及び／又は、電子装置に付帯する、同じか又は個別の電子チップに実体化されているメモリ内に記憶させるための信号が含まれている。無線機器に対する送信信号は、電子装置に付帯するメモリ内に記憶される情報を含んでいてもよいし、先に受信され記憶されている情報を含んでいてもよい。無線機器に対する「受信信号」は、アンテナ装置に対する「送信信号」であり、無線機器に対する「送信信号」は、アンテナ装置に対する「受信信号」であることに注目して頂きたい。
【００３２】
そのようなタグ又は他の無線機器は、検知及び／又は識別される物体の一部であってもよいし、或いは、例えば、接着剤又はストラップ又は締め付け具などで、或いは、特定の用途で必要に応じて永久に又は解除可能に組み込むことによって、そのような物体に配置及び／又は取り付けられた剛体又は可撓性の基板上に作られていてもよい。物体が金属又は何らかの導電体である場合、無線機器は、信号を通信するためにアンテナが作動するのに十分な距離、例えば数ミリメートルだけ物体から離して配置される。
【００３３】
以上のことから、ここに開示している幾つかの実施形態は、センサー試験システム及び方法に関していると理解することができる。概括的には、上面及び底面と、圧力チャネルへの少なくとも１つの圧力入口とを有している圧力レールは、圧力レール内に配置されている。圧力チャネルは、圧力レールの中に穿孔されている。複数のパッチ凹部は、パッチを配置する圧力レールの上面上の複数のシーリング面に形成されている。複数のアンテナブロックは、概括的には、圧力レール上に配置され、各アンテナブロックは、少なくとも２つのアンテナを含んでいる。２つのアンテナは、複数のアンテナブロックの内のそれぞれのアンテナブロックに、シリコン接着剤を使って接続されている。各アンテナブロックは、複数のパッチの中の各パッチに関係する圧力及び温度の状態を示す無線データを提供するために、それぞれ圧力レール上に配置されている。
【００３４】
更に、複数のＢＮＣコネクタは、それぞれ複数のアンテナブロックに接続されており、各ＢＮＣコネクタは、それぞれ各アンテナブロックに接続され、そこから突き出ている。複数のシーリング面の内の各シーリング面は、それぞれＯリングを所定の位置に保持する溝を有するように構成されている。パッチ自体は、ＳＡＷパッチでもよい。更に、複数のアンテナブロックの内の１つのアンテナブロックを所定の位置に保持するため、及び各Ｏリングを複数のアンテナブロックの内の各アンテナブロックに対してシールするために、複数のキャップスクリューが設けられる。従って、圧力レールは、概ねＳＡＷタイヤ圧力測定パッチ無線試験レールとして機能する。ＳＡＷパッチは、ＳＡＷパッチの示す試験データを集めるために一定の距離で無線で呼掛けられている間は、温度と圧力の両方に反応する。
【００３５】
ここに開示しているＳＡＷタイヤ圧力測定パッチ無線試験レールは、埋め込み式アンテナがＳＡＷパッチに呼掛信号を送っている間は、５つ又はそれ以上のゴムパッチが１５０ｓｐｉまで加圧され、摂氏１２５度まで加熱されるように構成することができる。これによって、ＳＡＷパッチが、最終試験データを集めることができるように、一定の距離で呼掛けられている間は、温度と圧力の両方に反応できるようになっている。
【００３６】
試験設備は、上部のアンテナブロックと下部の圧力レール用にＵｌｔｅｍ材料を使って作ることができる。ＳＡＷパッチを配置して方向付けるために、圧力レールには、概ね５つ又はそれ以上（又はそれ以下）の個別の凹部が、上面に切り込まれている。圧力チャネルは、パッチにモールド成形されているＳＡＷボタン面を加圧することができるように、レールの中心を通って穿孔されている。５つの場所には、それぞれ、シーリング面に、シリコンＯリングを所定の位置に保持しＯリングを保持する役を果たす、ミーリング加工されたあり溝が設けられている。Ｏリングは、４つのキャップスクリューで所定の位置に保持されているアンテナブロックに対してシールする。アンテナブロックには、２つのアンテナが、溝の内側に取り付けられ、ＲＴＶシリコン接着剤で所定の位置に保持されている。２つのアンテナは、アンテナブロックの上部から突き出ているＢＮＣコネクタに配線接続されている。ＢＮＣコネクタは、温度と圧力を監視し、調整するために、試験システムに接続されている。
【００３７】
図７は、ＳＡＷセンサーとＲＦＩＤ呼掛器のシステム７００の側面斜視図であり、本発明の或る好適な実施形態に従って実施されたものである。図８は、本発明の或る好適な実施形態による、図７に示すシステム７００の側面図である。図９は、本発明の或る好適な実施形態による、図７に示すシステム７００の上面図である。図１０は、本発明の或る好適な実施形態による、図７に示すシステム７００の正面図である。図１１は、本発明の或る好適な実施形態による、図７に示すシステム７００の底面図である。図７−１１では、同様又は同一部分は、概ね同じ参照番号で示されていることに注目頂きたい。
【００３８】
システム７００は、上部ロケーターブロック７０４の下方に配置されているアンテナブロック７０２を一般的に含んでいる設備（即ち、ＳＡＷセンサーとＲＦＩＤ呼掛器の設備）として構成される。アンテナブロック７０２は、アンテナカバー７２２の上に配置されている。従って、アンテナブロック７０２は、アンテナカバー７２２と上部ロケーターブロック７０４の間に挟まれている。更に、アンテナカバー７２２は、アンテナカバー７２２、アンテナブロック７０２、及び上部ロケーターブロック７０４を支持する４つの脚７３２、７３４、７３６、７３８の上に着座している。システム７００は、更に、図２に示すＳＡＷパッチ１３６と同類のＳＡＷパッチ７２０を含んでいる。
【００３９】
ＢＮＣコネクタ７０６は、アンテナブロック７０２から突き出ている。ＢＮＣコネクタは、図１−４に示すＢＮＣコネクタ１１２、１１４、１１６、１１８、１２０と同様であり、その違いは、ＢＮＣコネクタが、ＳＡＷパッチ７２０の長さに対して略垂直な方向に伸張している点である。図１−４に示す構成では、ＢＮＣコネクタ１１２、１１４、１１６、１１８、１２０は、例えば図２に示すＳＡＷパッチ１３６の様な各ＳＡＷパッチの中心を通って突き出ている。複数のスクリュー７１２、７１４、７１６、７１８は、概ね上部ロケーターブロック７０４の上に配置されており、図１−４に示すキャップスクリュー１２４、１２６、１２８、１３０と同類である。
【００４０】
アンテナブロック７０２とアンテナカバー７２２は、例えばＤｅｌｒｉｎの様なプラスチック材料で形成することができ、このＤｅｌｒｉｎというのは、材料の種類であり、真鍮、アルミニウム、亜鉛及びステンレス鋼の様な工業用金属と同じ特性を数多く有している。比較可能な特性には、剛性、寸法安定性、耐衝撃性、及び構造強度などが含まれる。Ｄｅｌｒｉｎ材料は通常ＲＦ信号の影響を受けないので、Ｄｅｌｒｉｎの様な材料を使用するのが好適である。Ｄｅｌｒｉｎは、デュポン社の商標である。一方、上部ロケーターブロック７０４は、Ｕｌｔｅｍ樹脂の様な材料で形成することができる。Ｕｌｔｅｍ樹脂は、極めて高い耐熱性、高い強度、弾性係数、及び広範な耐化学薬品特性を呈するアモルファス熱可塑性ポリエーテルイミドである。Ｕｌｔｅｍは、ゼネラルエレクトリック社の商標である。
【００４１】
上部ロケーターブロック７０４は、一般的に、ＳＡＷパッチ７２０適切に方位付けして配置するために、ＳＡＷパッチ７２０と同じ形状で上面に切り込まれている凹部７４０を含んでいる。アンテナブロック７０２には、アンテナ７２４と７２６をそれぞれ配置するために、２つ又はそれ以上の溝がミーリング加工されており、各アンテナは、ブロックの前面のＢＮＣコネクタ７０６に接続されている。アンテナカバー７２２は、アンテナ７２４、７２６と、付帯する配線を保護する役を果たす。ＳＡＷセンサーとＲＦＩＤ呼掛器のシステム７００は、従って、ＳＡＷ／ＲＦＩＤセンサー（例えばセンサー６００）が適切に機能していることを確認するために、一定の距離及び方位に配置されているＳＡＷパッチ７２０に周波数信号を送り、試験設備に信号を送り返すことができる。
【００４２】
図１２は、本発明の或る好適な実施形態による、図７−１１に示すパッチ７２０の斜視図である。ブロック１２０２は、一般的にＲＦＩＤタグ構成要素を示しており、ブロック１２０４は、一般的にＳＡＷセンサー又はＳＡＷ構成要素を示している。矢印１２０６と１２０８は、モールド成形処理又は処置を示している。この様に、ブロック１２０２によって表されるＲＦＩＤタグ構成要素と、ブロック１２０４によって表されるＳＡＷセンサー又はＳＡＷ構成要素は、パッチ７２０にモールド成形され、図７−１１に示すシステムと共に使用できるようになっている。勿論、図１−４のパッチ１３６（及びその追加パッチ）も、図１２に示す処理に従って構成できることが分かる。従って、図１−４のパッチ１３６も、ＳＡＷセンサーとＲＦＩＤタグ又はＲＦＩＤ構成要素をモールド成形することのできるゴムパッチとして構成することができる。
【００４３】
ここに記載している実施形態と実施例は、本発明とその実際の用途を良く説明して、当業者が本発明を作成し使用できるようにするため呈示している。しかしながら、当業者には理解頂けるように、以上の説明と実施例は、解説と例示のみを目的に示している。当業者には、本発明の他の変更及び修正が自明であり、特許請求の範囲は、そのような変更及び修正を包含するものとする。
【００４４】
記載している説明は、本発明の範囲を網羅又は制限する意図はない。上記教示に鑑み、多くの修正及び変更を、特許請求の範囲から逸脱することなく施すことができる。本発明を使用する際には、異なる特性を有する構成要素を伴うことも考えられる。本発明の範囲は、全ての点で等価物を完全に認識範囲に入れ、特許請求の範囲で定義する。
【図面の簡単な説明】
【００４５】
【図１】本発明の或る実施形態に従って実施することのできる無線センサー試験システムの上面図である。
【図２】本発明の或る実施形態による、図１に示す無線センサー試験システムの側面斜視図である。
【図３】本発明の或る実施形態による、図１−２に示す無線センサー試験システムの正面図である。
【図４】本発明の或る実施形態による、図１−３に示す無線センサー試験システムの右側面図である。
【図５】本発明の或る実施形態による、ＳＡＷ試験のためのシステム５００のブロック図である。
【図６】本発明の或る実施形態による、図１−４に示す試験システムによって試験することのできるセンサーの上面及び側面図である。
【図７】本発明の或る好適な実施形態に従って実施することのできるＳＡＷセンサーとＲＦＩＤ呼掛器のシステムの側面斜視図である。
【図８】本発明の或る好適な実施形態による、図７に示すＳＡＷセンサーとＲＦＩＤ呼掛器のシステムの側面図である。
【図９】本発明の或る好適な実施形態による、図７に示すＳＡＷセンサーとＲＦＩＤ呼掛器のシステムの上面図である。
【図１０】本発明の或る好適な実施形態による、図７に示すＳＡＷセンサーとＲＦＩＤ呼掛器のシステムの正面図である。
【図１１】本発明の或る好適な実施形態による、図７に示すＳＡＷセンサーとＲＦＩＤ呼掛器のシステムの底面図である。
【図１２】本発明の或る好適な実施形態による、図７−１１に示すパッチの斜視図である。
【図１】
2007530942.tif 000003
【図２】
2007530942.tif 000004
【図３】
2007530942.tif 000005
【図４】
2007530942.tif 000006
【図５】
2007530942.tif 000007
【図６】
2007530942.tif 000008
【図７】
2007530942.tif 000009
【図８】
2007530942.tif 000010
【図９】
2007530942.tif 000011
【図１０】
2007530942.tif 000012
【図１１】
2007530942.tif 000013
【図１２】
2007530942.tif 000014
【手続補正書】
【提出日】平成18年11月29日(2006.11.29)
【手続補正１】
【補正対象書類名】特許請求の範囲
【補正対象項目名】全文
【補正方法】変更
【補正の内容】
【特許請求の範囲】
【請求項１】
無線設備システムにおいて、
複数の溝を備えているアンテナブロックであって、前記複数の溝は、前記アンテナブロックの少なくとも一部分に配置されている複数のアンテナを維持する、アンテナブロックと、
前記アンテナブロックの上に配置されている上部ロケーターブロックであって、前記上部ロケーターは、パッチを受け入れて配置するための凹部を有する上面を備えており、センサーを試験するために、前記複数のアンテナから無線信号を受信することができる、上部ロケーターブロックと、を備えている無線設備システム。
【請求項２】
前記複数のアンテナとその配線を保護するために、前記アンテナブロックに接続されているアンテナカバーと、
前記アンテナブロックから突き出ており、前記複数のアンテナに前記その配線を介して電気的に接続されているＢＮＣコネクタであって、前記パッチは、前記パッチにモールド成形されているＳＡＷセンサーとＲＦＩＤタグを備えている、ＢＮＣコネクタと、を更に備えている請求項１に記載のシステム。
【請求項３】
無線設備システムにおいて、
複数の溝を備えているアンテナブロックであって、前記複数の溝は、前記アンテナブロックの少なくとも一部分に配置されている複数のアンテナを維持する、アンテナブロックと、
前記アンテナブロックの上に配置されている上部ロケーターブロックであって、前記上部ロケーターは、パッチを受け入れて配置するための凹部を有する上面を備えており、前記パッチは、センサーを試験するために、前記複数のアンテナから無線信号を受信することができ、前記パッチは、前記パッチにモールド成形されているＳＡＷセンサーとＲＦＩＤタグを備えている、上部ロケーターブロックと、
前記複数のアンテナとその配線を保護するために、前記アンテナブロックに接続されているアンテナカバーと、
前記アンテナブロックから突き出ており、前記複数のアンテナに前記その配線を介して電気的に接続されているＢＮＣコネクタと、を備えている無線設備システム。
【請求項４】
無線センサー設備の方法において、
複数の溝を備えているアンテナブロックを提供する段階であって、前記複数の溝は、前記アンテナブロックの少なくとも一部分に配置されている複数のアンテナを維持する、アンテナブロックを提供する段階と
前記アンテナブロックの上に上部ロケーターブロックを配置する段階であって、前記上部ロケーターは、パッチを受け入れて配置するための凹部を有する上面を備えており、前記パッチは、センサーを試験するために、前記複数のアンテナから無線信号を受信することができる、上部ロケーターブロックを配置する段階と、から成る方法。
【国際調査報告】
2007530942.tif 000015
2007530942.tif 000016
2007530942.tif 000017